(57)【要約】【課題】近赤外光が頭部に照射されていない状況を生じにくくすることに貢献する光育毛器を提供する。【解決手段】光育毛器１は、光源部５０、制御部４０、および、報知部７０を有する。光源部５０は、複数の発光兼受光素子５１を有する。発光兼受光素子５１は、制御部４０から受信した発光信号に基づいて近赤外光を頭部に出力する機能、および、頭部からの反射光の受光に基づいて制御部４０に受光信号を出力する機能を有する。制御部４０は、受光信号に基づいて血流量を測定し、血流量に基づいて報知信号を報知部７０に出力する。報知部７０は、報知信号に基づいて報知情報を出力する。【選択図】図２
2015013045.tif 000002
【特許請求の範囲】
【請求項１】
近赤外光を照射する光育毛器であって、
前記光育毛器は、光源部、制御部、および、報知部を有し、
前記光源部は、複数の発光兼受光素子を有し、
前記発光兼受光素子は、前記制御部から受信した発光信号に基づいて前記近赤外光を頭部に出力する機能、および、前記頭部からの反射光の受光に基づいて前記制御部に受光信号を出力する機能を有し、
前記制御部は、前記受光信号に基づいて血流量を測定し、前記血流量に基づいて報知信号を前記報知部に出力し、
前記報知部は、前記報知信号に基づいて報知情報を出力する
光育毛器。
【請求項２】
前記光育毛器は、前記発光兼受光素子としてレーザーダイオードを有する
請求項１に記載の光育毛器。
【発明の詳細な説明】
【技術分野】
【０００１】
本発明は、光育毛器に関する。
【背景技術】
【０００２】
従来の光育毛器は、頭部に近赤外光を照射する。なお、特許文献１は、従来の光育毛器の一例を開示している。
【先行技術文献】
【特許文献】
【０００３】
【特許文献１】国際公開第２００９／１２３１９６号
【発明の概要】
【発明が解決しようとする課題】
【０００４】
近赤外光は、視認することができない。このため、使用者は、近赤外光の正確な位置を認識しづらい。このため、近赤外光が頭部に照射されていない場合、使用者がこのことに気付かないまま光育毛器の使用を継続するおそれがある。
【０００５】
本発明は、以上の背景のもとに創作されたものであり、近赤外光が頭部に照射されていない状況を生じにくくすることに貢献する光育毛器を提供することを目的としている。
【課題を解決するための手段】
【０００６】
本光育毛器は、光源部、制御部、および、報知部を有し、前記光源部は、複数の発光兼受光素子を有し、前記発光兼受光素子は、前記制御部から受信した発光信号に基づいて前記近赤外光を頭部に出力する機能、および、前記頭部からの反射光の受光に基づいて前記制御部に受光信号を出力する機能を有し、前記制御部は、前記受光信号に基づいて血流量を測定し、前記血流量に基づいて報知信号を前記報知部に出力し、前記報知部は、前記報知信号に基づいて報知情報を出力する。
【０００７】
光源部は、頭部からの反射光の受光に基づいて、受光信号を制御部に出力する。制御部は、受光信号に基づいて、頭部の血流量を測定する。頭部は、近赤外光を受けることにより血流が促進されやすくなる。このため、頭部の血流量は、頭部に近赤外光が照射されている場合、および、頭部に近赤外光が照射されていない場合において、有意な差を示す。このため、血流量に基づいて、近赤外光が頭部に照射されているか否かを確認することができる。
【０００８】
制御部は、測定した血流量に基づいて、報知部に報知信号を出力する。このため、報知信号は、血流量に基づいて生成された情報を含む。このため、報知部は、近赤外光が頭部に照射されていないことを示す報知情報、または、近赤外光が頭部に照射されていることを示す報知情報を出力することができる。このため、近赤外光が頭部に照射されていないことを使用者に認識させやすくなる。使用者は、近赤外光が頭部に照射されていないことを認識した場合、近赤外光の照射位置を変更することができる。このため、近赤外光が頭部に照射されていない状況が解消されやすくなる。なお、受光者は、光育毛器から近赤外光を受ける者を示す。使用者は、光育毛器を操作する者を示す。受光者自身が光育毛器を操作する場合、受光者と使用者は同一の者を示す。
【発明の効果】
【０００９】
本光育毛器は、近赤外光が頭部に照射されていない状況を生じにくくすることに貢献する。
【図面の簡単な説明】
【００１０】
【図１】実施形態の光育毛器のブロック図。
【図２】実施形態の光育毛器の模式図。
【図３】実施形態の光源動作制御を示すフローチャート。
【図４】（ａ）実施形態の光源部がパターンＡにより動作している状態を示す模式図。（ｂ）光源部がパターンＢにより動作している状態を示す模式図。
【発明を実施するための形態】
【００１１】
（１）本光育毛器は、次の事項を有する。前記光育毛器は、光源部、制御部、および、報知部を有する。前記光源部は、複数の発光兼受光素子を有し、前記発光兼受光素子は、前記制御部から受信した発光信号に基づいて前記近赤外光を頭部に出力する機能、および、前記頭部からの反射光の受光に基づいて前記制御部に受光信号を出力する機能を有する。前記制御部は、前記受光信号に基づいて血流量を測定し、前記血流量に基づいて報知信号を前記報知部に出力する。前記報知部は、前記報知信号に基づいて報知情報を出力する。
（２）前記光育毛器は、次の事項を有する。前記光育毛器は、前記発光兼受光素子としてレーザーダイオードを有する。
【００１２】
（実施形態）
図１は、光育毛器１の一形態のブロック図を示している。
光育毛器１は、ハウジング１０、保護板１１、電源部２０、電源操作部３０、制御部４０、光源部５０、切替部６０、報知部７０、および、パルス発生部８０を有する。光育毛器１は、光源部５０に電流を流すことにより、近赤外光を受光者１００に照射することができる。
【００１３】
制御部４０は、ハウジング１０の内部に配置されている。制御部４０は、一例として、光源動作制御（図３参照）を実行する。光源動作制御は、照射位置確認制御および光照射制御を含む。制御部４０は、電源操作部３０から出力された電源操作信号ＳＰに基づいて、照射位置確認制御を開始する。
【００１４】
照射位置確認制御は、光源部５０から受光者１００に近赤外光を適切に照射させることを意図して実行される。照射位置確認制御は、頭部の血流量に基づいて、受光者１００に対する近赤外光の照射位置の適切性を確認する。照射位置確認制御は、複数の処理により構成されている。複数の処理は、血流量判定処理および報知処理を含む。
【００１５】
血流量判定処理は、光育毛器１の今回の使用時において、受光者１００に対する近赤外光の照射位置が任意の位置に設定されているとき、光源部５０から照射された近赤外光の反射光に基づいて、頭部の血流量を測定する。血流量判定処理は、今回の使用時における血流量が一定値以上か否かを判定する。血流量判定処理は、血流量が一定値未満のとき、近赤外光が頭部に適切に照射されていないことを示す情報を含む報知信号を出力する。血流量判定処理は、血流量が一定値以上のとき、近赤外光が頭部に適切に照射されていることを示す情報を含む報知信号を出力する。なお、一定値は、近赤外光が頭部に照射されている場合における頭部の血流量のうちの最小値の平均値として、試験等の結果に基づいて予め設定されている。
【００１６】
報知処理は、血流量判定処理において出力された報知信号に基づいて、報知部７０に報知情報を出力させることにより、今回の使用時における近赤外光が頭部に適切に照射されているか否かを使用者に認識させる。なお、使用者は、受光者１００としての使用者、または、受光者１００とは異なる者としての使用者を示す。
【００１７】
光照射制御は、受光者１００に近赤外光を照射することにより育毛効果を促進させることを意図して実行される。光照射制御は、一例として、照射位置確認制御の終了に基づいて開始される。光照射制御は、終了条件が成立したことに基づいて、近赤外光の照射を終了する。
【００１８】
光育毛器１の他の機能部は、以下の構成を有する。
電源部２０は、ハウジング１０の内部に配置されている。電源部２０は、一次電池の電力、二次電池の電力、または、商用電源の交流電力を直流電力に変換し、変換後の電力を制御部４０に供給する。
【００１９】
光源部５０は、ハウジング１０の内部に配置されている。光源部５０は、保護板１１を介して近赤外光を受光者１００に照射する。光源部５０は、制御部４０および電源部２０のそれぞれと電気的に接続されている。図１の破線は、光源部５０が照射する近赤外光、および、光源部５０が照射した近赤外光の反射光を示している。
【００２０】
光源部５０は、一例として、複数の発光兼受光素子５１を有する。光源部５０は、発光素子および受光素子を有していない。発光兼受光素子５１は、複数の機能状態を有する。発光兼受光素子５１の機能状態は、発光状態および受光状態を含む。発光兼受光素子５１は、発光状態のとき、発光素子として機能し、制御部４０から受信した発光信号ＳＥに基づいて発光する。発光信号ＳＥは、発光兼受光素子５１に近赤外光を出力させるための情報を含む。発光兼受光素子５１は、受光状態のとき、受光素子として機能し、受光した光に基づいて制御部４０に受光信号ＳＲを出力する。受光信号ＳＲは、発光兼受光素子５１が受光した反射光の光量の情報を含む。
【００２１】
保護板１１は、ハウジング１０に取り付けられている。保護板１１は、一例として、ガラスまたは透光性樹脂を主成分とする材料により形成されている。保護板１１は、光源部５０を保護する。保護板１１は、一例として、レンズの機能を有する。
【００２２】
電源操作部３０は、ハウジング１０上に形成されている。電源操作部３０は、制御部４０および電源部２０のそれぞれと電気的に接続されている。電源操作部３０は、一例として、スイッチの形態を有する。電源操作部３０は、光育毛器１の電源のオンまたはオフの設定を切り替える。電源操作部３０は、使用者の操作に応じて電源操作信号ＳＰを制御部４０に出力する。電源操作信号ＳＰは、光育毛器１の電源のオンまたはオフを変化させるための情報を含む。
【００２３】
切替部６０は、ハウジング１０の内部に配置されている。切替部６０は、制御部４０および電源部２０のそれぞれと電気的に接続されている。切替部６０は、制御部４０が出力する切替信号ＳＣに基づいて、発光兼受光素子５１の機能状態を発光状態または受光状態に切り替える。
【００２４】
パルス発生部８０は、ハウジング１０の内部に配置されている。パルス発生部８０は、制御部４０および電源部２０のそれぞれと電気的に接続されている。パルス発生部８０は、発光信号ＳＥをパルス変調する。
【００２５】
報知部７０は、ハウジング１０に取り付けられている。報知部７０は、制御部４０および電源部２０のそれぞれと電気的に接続されている。報知部７０は、一例として、スピーカーの形態を有する。報知部７０は、制御部４０が出力する報知信号ＳＩに基づいて、報知情報を出力する。
【００２６】
図２は、光育毛器１の一形態の模式図を示している。
図２の白い発光兼受光素子５１は、発光状態の発光兼受光素子５１を示している。図２のドット入りの発光兼受光素子５１は、受光状態の発光兼受光素子５１を示している。なお、図４の白い発光兼受光素子５１、および、ドット入りの発光兼受光素子５１も同様の状態を示している。
【００２７】
保護板１１は、ハウジング１０の長手方向の一方の端部に固定されている。光源部５０は、ハウジング１０の内部において、ハウジング１０の一方の端部付近に配置されている。光源部５０は、複数の発光兼受光素子５１、および、１つの光源基盤５２を有する。
【００２８】
複数の発光兼受光素子５１は、光源基盤５２に実装されている。発光兼受光素子５１は、レーザーダイオードの形態を有する。発光兼受光素子５１は、７６０〜２５００ｎｍの波長範囲において強度のピークを有する近赤外光を照射する。発光兼受光素子５１は、一例として、１４５０ｎｍの波長において強度のピークを示す近赤外光を照射する。なお、図２および図４における発光兼受光素子５１は、複数の発光兼受光素子５１のうちの一部のみを示している。
【００２９】
複数の発光兼受光素子５１は、それぞれ異なる切替部６０を介して制御部４０および電源部２０と接続されている。図２の破線は、制御部４０が切替部６０に出力する切替信号ＳＣを示している。
【００３０】
切替部６０は、Ｃ接点スイッチのリレーを有する。このリレーは、入力端子６０Ａ、入力端子６０Ｂ、および、共通端子６０Ｃを有する。入力端子６０Ａは、電源部２０の＋極に接続されている。入力端子６０Ｂは、制御部４０に接続されている。共通端子６０Ｃは、発光兼受光素子５１のアノードに接続されている。共通端子６０Ｃは、制御部４０が出力する切替信号ＳＣの受信に基づいて、入力端子６０Ａまたは入力端子６０Ｂに接続される。
【００３１】
制御部４０が実行する制御の詳細を以下に示す。
制御部４０は、光源動作制御における所定の条件の成立に基づいて、切替信号ＳＣとしての発光切替信号ＳＣＥまたは受光切替信号ＳＣＲを切替部６０に出力する。切替部６０は、発光切替信号ＳＣＥを受信したことに基づいて、共通端子６０Ｃを入力端子６０Ａに接続する。発光切替信号ＳＣＥは、発光兼受光素子５１の機能状態を発光状態に変化させるための情報を含む。切替部６０は、受光切替信号ＳＣＲを受信したことに基づいて、共通端子６０Ｃを入力端子６０Ｂに接続する。受光切替信号ＳＣＲは、発光兼受光素子５１の機能状態を受光状態に変化させるための情報を含む。
【００３２】
制御部４０は、複数の発光兼受光素子５１の機能状態を制御することにより、光源部５０の発光パターンを変化させる。制御部４０は、一例として、パターンＡ（図４（ａ）参照）、または、パターンＢ（図４（ｂ）参照）から発光パターンを選択する。
【００３３】
パターンＡは、縦の列毎に各発光兼受光素子５１の機能状態が異なる。パターンＡは、発光兼受光素子５１の機能状態が発光状態に設定された列、および、発光兼受光素子５１の機能状態が受光状態に設定された列を交互に有する。パターンＢは、全ての発光兼受光素子５１の機能状態が発光状態に設定されている。
【００３４】
制御部４０は、電源操作信号ＳＰに基づいて、照射位置確認制御を開始する。制御部４０は、照射位置確認制御において、血流量判定処理および報知処理の順に各処理を実行する。
【００３５】
制御部４０は、血流量判定処理において以下の各処理を実行する。
制御部４０は、パターンＡに対応する切替信号ＳＣを各切替部６０に出力する。制御部４０は、パターンＡにおいて発光状態に設定された各発光兼受光素子５１に発光信号ＳＥを出力する。制御部４０は、パターンＡにおいて受光状態に設定された各発光兼受光素子５１から受光信号ＳＲを受光する。制御部４０は、受光信号ＳＲに基づいて、頭部の血流量を測定する。制御部４０は、一例として、レーザードップラー血流計の計測原理と同様の原理に基づく測定方法を用いる。
【００３６】
制御部４０は、測定した血流量が一定値以上か否かを判定する。制御部４０は、測定した血流量が一定値以上の大きさを有すると判定したとき、血流量判定処理を終了して報知処理に移行する。制御部４０は、測定した血流量が一定値未満の大きさを有すると判定したとき、血流量の測定を再度実行する。制御部４０は、血流量が一定値以上の大きさを有すると判定するまで血流量の測定を繰り返す。
【００３７】
制御部４０は、報知処理において以下の各処理を実行する。
制御部４０は、血流量が一定値以上の大きさを有すると判定している場合、報知信号ＳＩとしての適切照射報知信号ＳＩＡを報知部７０に出力する。適切照射報知信号ＳＩＡは、近赤外光が頭部に適切に照射されていることを示す報知情報を報知部７０に出力させるための情報を含む。制御部４０は、血流量が一定値未満の大きさを有すると判定している場合、報知信号ＳＩとしての照準変更報知信号ＳＩＣを報知部７０に出力し、血流量判定処理を再度実行する。照準変更報知信号ＳＩＣは、近赤外光が頭部に適切に照射されていないことを示す報知情報を報知部７０に出力させるための情報を含む。
【００３８】
図３は、光源動作制御のフローチャートを示している。
制御部４０は、ステップＳ１１において、パターンＡ（図４（ａ）参照）に対応する切替信号ＳＣを切替部６０に出力する。制御部４０は、パターンＡにおいて発光状態に設定された各発光兼受光素子５１に発光信号ＳＥを出力する。
【００３９】
制御部４０は、ステップＳ１２において、パターンＡにおいて受光状態に設定された各発光兼受光素子５１から受光信号ＳＲを受光する。制御部４０は、受光信号ＳＲに基づいて、パターンＡにおける血管中の血流量を測定する。
【００４０】
制御部４０は、ステップＳ１３において、ステップＳ１２により測定した血流量が一定値以上の大きさを有するか否かを判定する。制御部４０は、ステップＳ１３において肯定判定したとき、ステップＳ１５に移行する。制御部４０は、ステップＳ１３において否定判定したとき、ステップＳ１４に移行する。
【００４１】
制御部４０は、ステップＳ１４において、照準変更報知信号ＳＩＣを報知部７０に出力する。制御部４０は、ステップＳ１３において肯定判定するまで、ステップＳ１１〜ステップＳ１４を繰り返して実行する。
【００４２】
制御部４０は、ステップＳ１５において、適切照射報知信号ＳＩＡを報知部７０に出力する。制御部４０は、ステップＳ１６において、パターンＢ（図４（ｂ）参照）に対応する切替信号ＳＣを切替部６０に出力する。制御部４０は、パターンＢにおいて発光状態に設定された各発光兼受光素子５１に発光信号ＳＥを出力する。
【００４３】
制御部４０は、ステップＳ１７において、終了条件が成立しているか否かを判定する。制御部４０は、終了条件が成立していると判定したとき、光育毛器１の電源をオフにする。制御部４０は、終了条件が成立していないと判定したとき、ステップＳ１１に移行する。制御部４０は、ステップＳ１７において、終了条件が成立したと判定するまで、ステップＳ１１〜ステップＳ１７を繰り返して実行する。
【００４４】
制御部４０は、一例として、第１終了条件または第２終了条件が成立していることに基づいて、終了条件が成立していると判定する。第１終了条件は、光源部５０による近赤外光の照射時間が予め設定された規定時間を経過したことにより成立する。第２終了条件は、電源操作部３０から出力された電源操作信号ＳＰを制御部４０が受信したことにより成立する。
【００４５】
なお、光源動作制御の各ステップは、照射位置確認制御および光照射制御と次の関係を有する。ステップＳ１１〜ステップＳ１３は、照射位置確認制御の血流量判定処理を構成する処理の一例を示す。ステップＳ１４およびステップＳ１５は、照射位置確認制御の報知処理を構成する処理の一例を示す。ステップＳ１６およびステップＳ１７は、光照射制御を構成する処理の一例を示す。
【００４６】
光育毛器１は、以下の作用を有する。
光育毛器１は、受光者１００による使用が開始されることにより、一例として、次の状態を形成する。受光者１００としての使用者は、光源部５０の照射位置を頭部の任意の位置に合わせる。ここで想定される使用状況においては、光源部５０の照射位置が頭部からずれた位置に設定される。
【００４７】
使用者は、電源操作部３０を操作する。制御部４０は、電源操作部３０の操作に基づいて光源動作制御における照射位置確認制御を開始する。光源部５０は、照射位置確認制御の開始にともない、パターンＡによる近赤外光の照射を実行する。制御部４０は、受光した反射光に基づいて、頭部の血流量を測定する。
【００４８】
光源部５０の照射位置が頭部からずれている場合、測定された血流量は一定値未満の大きさを有する。このため、制御部４０は、血流量が一定値未満の大きさを有すると判定する。制御部４０は、血流量に関する判定結果に基づいて、報知部７０に照準変更報知信号ＳＩＣを出力する。制御部４０は、照準変更報知信号ＳＩＣに基づいて、光源部５０の照射位置が頭部からずれていることを示す報知情報を出力する。
【００４９】
使用者は、報知情報に基づいて、光源部５０の照射位置が頭部からずれていることを認識した場合、光源部５０の照射位置を変更する。光源部５０の照射位置の変更により光源部５０の照射位置が頭部に設定された場合、測定された血流量が一定値以上の大きさを示す。制御部４０は、血流量が一定値以上の大きさを有することを判定したとき、報知部７０に適切照射報知信号ＳＩＡを出力する。報知部７０は、適切照射報知信号ＳＩＡに基づいて、近赤外光が頭部に適切に照射されていることを示す報知情報を出力する。
【００５０】
制御部４０は、報知処理を実行したことに基づいて、照射位置確認制御を終了する。制御部４０は、照射位置確認制御の終了に基づいて、光照射制御を開始する。光源部５０は、光照射制御の開始にともない、パターンＢにより近赤外光を照射する。使用者の頭部は、光源部５０から照射された近赤外光を受ける。制御部４０は、終了条件の成立に基づいて、光照射制御を終了する。
【００５１】
光育毛器１は、以下の効果を奏する。
（１）光育毛器１は、制御部４０および報知部７０を有する。報知部７０は、制御部４０における血流量に関する判定結果に基づいて、報知情報を出力する。このため、使用者は、近赤外光の照射位置が適切でないことを認識しやすくなる。このため、光源部５０の照射位置が頭部からずれている場合、照射位置が適切な位置に変更されやすくなる。このように、光育毛器１は、近赤外光を頭部に適切に照射することに貢献する。このため、育毛効果の低下が生じにくくなる。
【００５２】
（２）光育毛器１は、光源部５０を有する。光源部５０は、複数の発光兼受光素子５１を有する。このため、光育毛器１によれば、仮想光源部を有する光育毛器に対して有利な効果が得られる。
【００５３】
仮想光源部は、一形態として、複数の発光素子および複数の受光素子を有する。仮想光源部における発光素子および受光素子の総数は、光源部５０における発光兼受光素子５１の総数と一致する。光源部５０は、光照射制御において発光する素子の数が仮想光源部よりも多い。このため、光育毛器１によれば、より好ましい育毛効果が得られやすい。
【００５４】
仮想光源部は、別の一形態として、光源部５０における発光兼受光素子５１と同数の発光素子、および、複数の受光素子を有する。この仮想光源部は、光照射制御において発光させる素子の数を光源部５０と同数に設定することができる。しかし、複数の受光素子が存在しているため、光源部５０よりも大型化する。光源部５０は、発光兼受光素子５１に発光機能および受光機能を持たせているため、仮想光源部よりも素子の数が少なくなる。このため、光育毛器１は、仮想光源部を有する光育毛器よりも小型化しやすい。
【００５５】
（その他の実施形態）
本光育毛器は、実施形態とは異なるその他の実施形態を含む。その他の実施形態は、一例として、以下に示される実施形態の変形例を含む。なお、以下の各変形例は、技術的に矛盾しない範囲において互いに組み合わせることができる。
【００５６】
・実施形態の発光兼受光素子５１は、レーザーダイオードの形態を有する。ただし、発光兼受光素子５１の構成は、実施形態に例示された内容に限られない。変形例の発光兼受光素子５１は、一例として、ＬＥＤの形態を有する。
【００５７】
・実施形態の発光兼受光素子５１は、１４５０ｎｍの波長において強度のピークを示す近赤外光を照射する。ただし、発光兼受光素子５１が照射する近赤外光のスペクトルは、実施形態に例示された内容に限られない。変形例の発光兼受光素子５１が照射する近赤外光のスペクトルは、近赤外領域における複数の水の特異吸収波長のうちの少なくとも１つの波長において、強度のピークを有する。複数の水の特異吸収波長の一例としては、９５０ｎｍ、１１５０ｎｍ、および、１７９０ｎｍが挙げられる。
【００５８】
・実施形態の光源部５０は、発光状態に設定された複数の発光兼受光素子５１から同じスペクトルの近赤外光を照射する。ただし、光源部５０の構成は、実施形態に例示された内容に限られない。変形例の光源部５０は、発光状態に設定された複数の発光兼受光素子５１の一部または全部において、互いに異なるスペクトルの近赤外光を照射する。
【００５９】
・実施形態の制御部４０は、図３に示される光源動作制御を実行する。ただし、光源動作制御の内容は、実施形態に例示された内容に限られない。変形例の制御部４０における光源動作制御は、一例として、以下の（ａ）および（ｂ）の少なくとも一方の構成を有する。
（ａ）制御部４０は、ステップＳ１５およびステップＳ１６を同時に行う。
（ｂ）制御部４０は、ステップＳ１７において否定判定したとき、ステップＳ１７の判定処理を繰り返す。
【００６０】
・実施形態の電源操作部３０は、スイッチの形態を有する。ただし、電源操作部３０の形態は、実施形態に例示された内容に限られない。変形例の電源操作部３０は、一例として、ボタンまたはタッチパネルの形態を有する。
【００６１】
・実施形態の報知部７０は、スピーカーの形態を有する。ただし、報知部７０の形態は、実施形態に例示された内容に限られない。変形例の報知部７０は、一例として、ＬＥＤランプまたはディスプレイの形態を有する。
【００６２】
・実施形態の切替部６０は、Ｃ接点スイッチのリレーを有する。ただし、切替部６０の構成は、実施形態に例示された内容に限られない。変形例の切替部６０は、一例として、Ｃ接点スイッチのリレーに代えて半導体スイッチを有する。
【００６３】
・実施形態の切替部６０は、電流増幅用のトランジスタを有していない。変形例の切替部６０は、Ｃ接点スイッチのリレーに加え、電流増幅用のトランジスタを有する。このトランジスタは、共通端子６０Ｃと制御部４０との間に配置され、共通端子６０Ｃおよび制御部４０と電気的に接続される。トランジスタは、制御部４０から共通端子６０Ｃに流れる電流を増幅する。このため、リレーを駆動するための電流が不足する状況が生じにくくなる。
【００６４】
（課題を解決するための手段に関する付記）
課題を解決するための手段は、下記の［付記項１］〜［付記項３］を含む。なお、［付記項１］〜［付記項３］が有する事項は、実施形態において開示された事項と対応している。
【００６５】
［付記項１］
付記項１の光育毛器は、請求項１または２に記載の光育毛器において、次の事項を有する。前記光育毛器は、切替部を有する。前記切替部は、前記発光兼受光素子の機能状態を発光状態または受光状態に切り替える。
【００６６】
［付記項２］
付記項２の光育毛器は、付記項１に記載の光育毛器において、次の事項を有する。前記切替部は、Ｃ接点スイッチのリレーを有する。前記Ｃ接点スイッチのリレーは、前記制御部が出力する切替信号に基づいて、共通端子および入力端子の接続を切り替える。
【００６７】
［付記項３］
付記項３の光育毛器は、請求項１、請求項２、付記項１、または、付記項２に記載の光育毛器において、次の事項を有する。前記光源部は、発光素子および受光素子を有していない。
【符号の説明】
【００６８】
１…光育毛器
４０…制御部
５０…光源部
５１…発光兼受光素子
７０…報知部
【図１】
2015013045.tif 000003
【図２】
2015013045.tif 000004
【図３】
2015013045.tif 000005
【図４】
2015013045.tif 000006